【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
電流印加電極対から体幹部に電流を印加し、前記体幹部に生じた電位差を電圧計測電極対により測定し、前記体幹部のインピーダンスを測定することにより、前記体幹部の内臓脂肪組織情報、及び／又は、皮下脂肪組織層情報を求める方法であって、前記電流印加電極対の一方の電流印加電極は前記体幹部に配置し、他方の電流印加電極は前記体幹部から突出する部位に配置することを特徴とする体幹部内臓・皮下脂肪測定方法。
【請求項２】
体幹部に電流を印加する電流印加電極対と、前記体幹部に生じた電位差を測定する電圧計測電極対とを備え、前記体幹部のインピーダンスを測定することにより、前記体幹部の内臓脂肪組織情報、及び／又は、皮下脂肪組織層情報を求める装置であって、前記電流印加電極対の一方の電流印加電極は前記体幹部に配置し、他方の電流印加電極は前記体幹部から突出する部位に配置することを特徴とする体幹部内臓・皮下脂肪測定装置。
【請求項３】
前記体幹部から突出する部位は四肢または頭部である請求項２記載の装置。
【請求項４】
前記体幹部から突出する部位は頭部の耳部である請求項３記載の装置。
【請求項５】
前記電圧計測電極対の一方の電圧計測電極を、前記一方の電流印加電極の近接位置に配置し、他方の電圧計測電極を前記一方の電流印加電極から体幹部長手方向の遠方位置に配置して、体幹部のインピーダンスを測定することにより体幹部皮下脂肪組織層情報を求める請求項２乃至４のいずれかに記載の装置。
【請求項６】
臍位近辺、側腹部、側背部のいずれかに前記一方の電流印加電極と前記一方の電圧計測電極とを配置して測定する請求項５に記載の装置。
【請求項７】
前記一方の電流印加電極は、皮下脂肪組織層が薄い部位、または、骨格筋組織層の筋腹部が無いまたは薄い部位に電流を印加し、
前記電圧計測電極対の一方の電圧計測電極は、前記一方の電流印加電極直下の広がり抵抗の影響が支配的な位置に配置され、他方の電圧計測電極は、前記広がり抵抗の影響が軽減されるまで離れた位置に配置されて、前記一方の電圧計測電極と前記他方の電圧計測電極の間の電位差を測定することにより皮下脂肪組織層情報を得る請求項２乃至６のいずれかに記載の装置。
【請求項８】
前記他方の電圧計測電極は、前記電位差を、皮下脂肪組織層が薄い部位、または、骨格筋組織層の筋腹部が無いまたは薄い部位にて測定する請求項７に記載の装置。
【請求項９】
前記広がり抵抗の影響が支配的な位置は、臍位近辺、側腹部、側背部のいずれかであり、前記広がり抵抗の影響が軽減されるまで離れた位置は、臍部と腸骨稜上縁部の間である請求項７又は８に記載の装置。
【請求項１０】
前記一方の電圧計測電極は、前記一方の電流印加電極に対して近接位置に配置され、前記他方の電圧計測電極は、前記一方の電流印加電極に対して、近接位置に配置された前記一方の電圧計測電極より十分に遠方位置に配置され、前記一方の電圧計測電極と前記他方の電圧計測電極間の電位差を測定することにより皮下脂肪組織層の情報を得る請求項７乃至９のいずれかに記載の装置。
【請求項１１】
前記十分に遠方位置とは、前記近接位置の３倍以上の位置である請求項１０記載の装置。
【請求項１２】
前記電流印加電極対を少なくとも１つ、及び、前記電圧計測電極対を少なくとも２つ有し、
前記電流印加電極対の一方の電流印加電極は、皮下脂肪組織層が薄い部位、または、骨格筋組織層の筋腹部が無いまたは薄い部位に電流を印加し、
前記少なくとも２つの電圧計測電極対の一方の電圧計測電極対に含まれる一方の電圧計測電極は、前記一方の電流印加電極直下の広がり抵抗の影響が支配的な位置に配置され、他方の電圧計測電極は、前記広がり抵抗の影響が軽減されるまで離れた位置に配置されて、前記一方の電圧計測電極と前記他方の電圧計測電極の間の電位差を測定することにより皮下脂肪組織層情報を得るものであり、
前記少なくとも２つの電圧計測電極対の他方の電圧計測電極対は、前記広がり抵抗の影響が軽減されるまで離れた位置に配置されて電位差を測定することにより内臓脂肪組織情報を得るものであり、
前記一方の電圧計測電極対と前記他方の電圧計測電極対を選択して、前記皮下脂肪組織層情報と前記内臓脂肪組織情報を選択的に得る切換装置を更に備える請求項２乃至４のいずれかに記載の装置。
【請求項１３】
前記他方の電圧計測電極対は、前記電位差を、皮下脂肪組織層が薄い部位、または、骨格筋組織層の筋腹部が無いまたは薄い部位にて測定する請求項１２記載の装置。
【請求項１４】
前記広がり抵抗の影響が支配的な位置は、臍位近辺、側腹部、側背部のいずれかであり、前記広がり抵抗の影響が軽減されるまで離れた位置は、臍部と腸骨稜上縁部の間である請求項１２又は１３に記載の装置。
【請求項１５】
前記一方の電圧計測電極は、前記一方の電流印加電極に対して近接位置に配置され、前記他方の電圧計測電極は、前記一方の電流印加電極に対して、前記一方の電圧計測電極より十分に遠方位置に配置され、前記一方の電圧計測電極と前記他方の電圧計測電極間の電位差を測定することにより皮下脂肪組織層の情報を得る請求項１２乃至１４のいずれかに記載の装置。
【請求項１６】
前記十分に遠方位置とは、前記近接位置の３倍以上の位置である請求項１５記載の装置。
【請求項１７】
前記少なくとも２つの電圧計測電極対によって測定された電位差を利用して求めた体幹部のインピーダンスと身体特定化情報とに基づいて体幹部内臓脂肪組織量を推定する体幹部内臓脂肪組織量推定手段とを更に備える請求項１２乃至１６のいずれかに記載の装置。
【請求項１８】
前記一方の電圧計測電極対によって測定された電位差を利用して求めた体幹部のインピーダンスと身体特定化情報とに基づいて体幹部の皮下脂肪組織量を推定する体幹部皮下脂肪組織量推定手段と、前記推定した体幹部の皮下脂肪組織量と身体特定化情報とに基づいて体幹部の皮下脂肪組織量を推定する体幹部皮下脂肪組織量推定手段と、前記推定した体幹部の皮下脂肪組織量と身体特定化情報とに基づいて体幹部皮下脂肪組織層のインピーダンスを推定する体幹部皮下脂肪組織層インピーダンス推定手段と、身体特定化情報に基づいて体幹部の内臓器組織量を推定し、該推定された体幹部の内臓器組織量と身体特定化情報とに基づいて体幹部内臓器組織のインピーダンスを推定する体幹部内臓器組織インピーダンス推定手段と、前記推定した体幹部のインピーダンスと、前記推定した体幹部骨格筋組織層のインピーダンスおよび体幹部内臓器組織のインピーダンスとに基づいて体幹部内臓脂肪組織のインピーダンスを推定する体幹部内臓脂肪組織インピーダンス推定手段と、前記推定した体幹部内臓脂肪組織のインピーダンスと身体特定化情報とに基づいて体幹部内臓脂肪組織量を推定する体幹部内臓脂肪組織量推定手段とを更に備える請求項１２乃至１７のいずれかに記載の装置。
【請求項１９】
前記一方の電流印加電極から皮下脂肪組織層が薄い部位、または、骨格筋組織層の筋腹部が無いまたは薄い部位に電流を印加して内臓脂肪組織情報を求める請求項２乃至１８のいずれかに記載の装置。
【請求項２０】
前記一方の電流印加電極が臍位より上部の体幹腹部長手方向に長く配列する骨格筋群上に配置されている請求項２乃至１９のいずれかに記載の装置。
【請求項２１】
呼吸周期時間より短いサンプリング周期で測定した体幹部のインピーダンスに基づいて呼吸による変動の影響を除去するための呼吸変動影響除去手段を更に備える請求項２乃至２０のいずれかに記載の装置。
【請求項２２】
前記測定した体幹部のインピーダンスを集団の一般的な値と比較することにより異常値判定処理を行う異常値判定処理手段を更に備える請求項２乃至２１のいずれかに記載の装置。